(57)【要約】【課題】  画像の向きと日付等の文字情報の向きとをユーザの意思通りに簡単に合わせることができるようにする。【解決手段】  デジタルカメラＤＣの向きを検知するセンサを備えることにより、デジタルカメラＤＣでの撮影により得られた電子像信号をプリンタ装置１にて記録紙に視認可能にプリント出力する際に、デジタルカメラＤＣのディスプレイ２０８に表示されるプリント出力対象の画像の向きに応じてデジタルカメラＤＣの向きを変えることにより、フォントデータ格納部２０１から読み出すフォントデータが適宜選択され、ユーザの意思通りに簡単に、日付等の文字情報を自然で読めるやすい位置や方向にして記録紙に印刷することができる。【選択図】      図２
2005130143.tif 000002
【特許請求の範囲】
【請求項１】
光学像を電子像信号に変換する撮像手段を有する撮像装置と、上記撮像装置での撮影により得られた電子像信号を記録媒体に視認可能にプリント出力するプリンタとを備えたプリントシステムであって、
上記撮像装置の向きを検知する手段と、
上記検知手段により検知された撮像装置の向きに応じて上記記録媒体に印刷する所定の文字情報の位置及び／又は方向を変更する手段とを備えたことを特徴とするプリントシステム。
【請求項２】
上記記録媒体に印刷するための文字情報を格納する文字情報格納手段を備えたことを特徴とする請求項１に記載のプリントシステム。
【請求項３】
上記文字情報は日付であることを特徴とする請求項１又は２に記載のプリントシステム。
【請求項４】
上記プリンタは、複数の加熱素子がライン状に並んだ加熱手段と、上記加熱手段による加熱で記録媒体に転写されるインクを塗布した色インク層を、上記加熱手段による加熱で記録媒体上に印画する熱転写式プリンタ手段とを備えることを特徴とする請求項１〜３のいずれか１項に記載のプリントシステム。
【請求項５】
上記プリンタは、記録媒体上に記録液体のドットにより文字又は画像を記録するために当該記録液体を吐出するインクジェット式プリンタ手段を備えることを特徴とする請求項１〜３のいずれか１項に記載のプリントシステム。
【請求項６】
光学像を電子像信号に変換する撮像手段と、上記撮像手段により得られた電子像信号をプリンタに出力可能な出力手段とを備えた撮像装置であって、
装置自身の向きを検知する向き検知手段と、
上記プリンタでプリント出力される記録媒体に印刷するための文字情報を格納する文字情報格納手段と、
上記向き検知手段により検知された向きに応じて上記記録媒体に印刷する文字情報の位置及び／又は方向を変更する変更手段とを備えたことを特徴とする撮像装置。
【請求項７】
プリント出力対象の画像を表示可能な表示手段を備えたことを特徴とする請求項６に記載の撮像装置。
【請求項８】
上記プリンタが一体化されていることを特徴とする請求項６又は７に記載の撮像装置。
【請求項９】
光学像を電子像信号に変換する撮像手段を有する撮像装置での撮影により得られた電子像信号を記録媒体に視認可能にプリント出力するプリント方法であって、
上記撮像装置の向きを検知する手順と、
上記向き検知手順により検知された向きに応じて上記記録媒体に印刷する文字情報の位置及び／又は方向を変更する手順とを有することを特徴とするプリント方法。
【請求項１０】
光学像を電子像信号に変換する撮像手段と、上記撮像手段により得られた電子像信号をプリンタに出力可能な出力手段と、装置自身の向きを検知する向き検知手段と、上記プリンタでプリント出力される記録媒体に印刷するための文字情報を格納する文字情報格納手段とを備えた撮像装置を制御するためのコンピュータプログラムであって、
上記向き検知手段により検知された向きに応じて上記記録媒体に印刷する文字情報の位置及び／又は方向を変更する処理をコンピュータに実行させることを特徴とするコンピュータプログラム。
【請求項１１】
請求項１０に記載のコンピュータプログラムを格納したことを特徴とするコンピュータ読み取り可能な記憶媒体。
【発明の詳細な説明】
【技術分野】
【０００１】
本発明は、プリントシステムに関し、特に撮像装置での撮影により得られた電子像信号を記録紙等の記録媒体に視認可能にプリント出力する場合に用いて好適なプリントシステム、撮像装置、プリント方法、コンピュータプログラム、及びコンピュータ読み取り可能な記憶媒体に関する。
【背景技術】
【０００２】
プリントシステムで用いられるプリンタとしては、熱転写方式のプリンタやインクジェットプリンタ等が挙げられる。例えば、インクジェットプリンタとしては、液滴の小ドット化等の技術が進み、より高画質なものが登場している。また、熱転写方式のプリンタとしては、従来から印画用紙として感熱型の用紙を用い、主走査方向に配列された複数個の発熱体を選択的に駆動して当該用紙を副走査方向に搬送することで、当該用紙にドットライン状に印画を行うライン熱転写方式のプリンタがある。
【０００３】
熱転写方式のプリンタは、近年、画像入力側としてのデジタルカメラやデジタルビデオカメラ、或いはスキャナ等の画像を扱う入力機器の進歩に伴い、プリント手段として注目されている。この主なる理由としては、次のようなことが挙げられる。まず、インクジェットプリンタは、液滴を飛ばすか飛ばさないか、という２値の選択しかないために、小さな液滴を用紙へ着弾させて、誤差拡散等の手法により、見かけの解像度及び階調性を得るように構成されている。これに対して、熱転写方式のプリンタは、１つの画素に対して、制御可能な熱の値を容易に変更できるため、１つの画素に対する階調性が多く取ることが可能となるため、インクジェットプリンタと比較して、滑らかで高画質な画像を得ることができる。また、サーマルヘッドの性能や用紙材料の性能も向上していることにより、熱転写方式のプリンタは、仕上がり品位で銀塩写真にも見劣りしない画像プリントを得ることが可能であり、近年のデジタルカメラ等の進歩に歩調を合わせるように、特に自然画像用のプリンタとして注目されている。
【０００４】
したがって、プリントシステムでは、上述のようなプリンタと、デジタルカメラやデジタルビデオカメラ等の画像入力機器とを直接的に接続する、或いは一体的に構成し、画像入力機器から入力される画像情報を、コンピュータ等の画像情報を処理する機器を介すことなく、プリンタでプリントが可能となる。これにより、デジタルカメラやデジタルビデオ等で得られた画像情報を簡単に写真的にプリントアウトを行うことが可能となり、大変便利である。
【０００５】
プリントシステムの具体例としては、例えば、特許文献１等に記載された画像入出力システムがある。当該画像入出力システムは、画像出力装置と画像入力装置を接続してなるシステムである。画像出力装置は、画像入力装置からの画像信号を受信して出力すると共に、画像入力装置に対して電力を供給する電源部を有する。画像入力装置は、画像出力装置に対して画像データを送信し、且つ画像出力装置から電源電力の供給を受けるための接続ケーブルにより、画像出力装置と接続されている。また、画像入力装置は、画像出力装置から電力供給を受けることの可否を判定する判定手段、及び電源部を備え、判定手段により、画像出力装置から電力供給を受けられると判定された場合には画像出力装置からの電力を用い、電力供給を受けられないと判定された場合には電源部からの電力を用いるように構成されている。かかる画像入出力システムによれば、画像出力装置から電力の供給が受けられるため、デジタルカメラ等の画像入力装置の電源の残量を気にすることなく、プリント出力できるため、非常に効果的である。
【０００６】
また、例えば、特許文献２等に記載された複合カメラがある。当該復号カメラは、特にプリント時の電力省電に特徴がある。当該復号カメラは、電子ビューファインダを有し、且つ映像情報を記録媒体へ記録する撮影手段、及び映像情報を記録紙へプリント出力するプリンタ手段を一体化したカメラであり、さらに、プリンタ手段が記録紙へ映像情報をプリント出力している間は、上記電子ビューファインダへ電力を供給するのを停止するよう制御する制御手段を備えている。かかる復号カメラによれば、プリント中は電子ビューファインダへの電力供給をしないので、節電に役立ち、非常に効果的である。
【０００７】
【特許文献１】特開平１０−２４３３２７号公報
【特許文献２】特開平９−６５１８２号公報
【特許文献３】特開２００２−１６５０８５号公報
【発明の開示】
【発明が解決しようとする課題】
【０００８】
しかしながら、特許文献１等に記載された従来の画像入出力システムや特許文献２等に記載された従来の複合カメラによりプリントシステムを構成した場合であっても、下記の点については利用者（ユーザ）に十分な満足を与えることができなかった。
【０００９】
具体的には、日付等の文字情報を画像と共に印刷しようとした場合、文字情報の出力位置及び向きは画像によらず一定であるため、画像の向きと文字情報の向きが異なっている場合、不自然に見にくいものとなってしまう、といった不具合があった。
【００１０】
上記の点に関して、特許文献３には、プリント出力する画像が縦長画像か横長画像かを判断し、それに応じて日付の向きを変えて印刷出力するようにした技術が開示されているが、この場合、日付の向きが必ずしもユーザの意思通りにならないこともありうる。
【００１１】
本発明は上記の点に鑑みてなされたものであり、画像の向きと日付等の文字情報の向きとをユーザの意思通りに簡単に合わせることができるようにすることを目的とする。
【課題を解決するための手段】
【００１２】
本発明のプリントシステムは、光学像を電子像信号に変換する撮像手段を有する撮像装置と、上記撮像装置での撮影により得られた電子像信号を記録媒体に視認可能にプリント出力するプリンタとを備えたプリントシステムであって、上記撮像装置の向きを検知する手段と、上記検知手段により検知された撮像装置の向きに応じて上記記録媒体に印刷する所定の文字情報の位置及び／又は方向を変更する手段とを備えた点に特徴を有する。
【００１３】
本発明の撮像装置は、光学像を電子像信号に変換する撮像手段と、上記撮像手段により得られた電子像信号をプリンタに出力可能な出力手段とを備えた撮像装置であって、装置自身の向きを検知する向き検知手段と、上記プリンタでプリント出力される記録媒体に印刷するための文字情報を格納する文字情報格納手段と、上記向き検知手段により検知された向きに応じて上記記録媒体に印刷する文字情報の位置及び／又は方向を変更する変更手段とを備えた点に特徴を有する。
【００１４】
本発明のプリント方法は、光学像を電子像信号に変換する撮像手段を有する撮像装置での撮影により得られた電子像信号を記録媒体に視認可能にプリント出力するプリント方法であって、上記撮像装置の向きを検知する手順と、上記向き検知手順により検知された向きに応じて上記記録媒体に印刷する文字情報の位置及び／又は方向を変更する手順とを有する点に特徴を有する。
【００１５】
本発明のコンピュータプログラムは、光学像を電子像信号に変換する撮像手段と、上記撮像手段により得られた電子像信号をプリンタに出力可能な出力手段と、装置自身の向きを検知する向き検知手段と、上記プリンタでプリント出力される記録媒体に印刷するための文字情報を格納する文字情報格納手段とを備えた撮像装置を制御するためのコンピュータプログラムであって、上記向き検知手段により検知された向きに応じて上記記録媒体に印刷する文字情報の位置及び／又は方向を変更する処理をコンピュータに実行させる点に特徴を有する。
【００１６】
本発明のコンピュータ読み取り可能な記憶媒体は、上記本発明のコンピュータプログラムを格納した点に特徴を有する。
【発明の効果】
【００１７】
本発明によれば、撮像装置での撮影により得られた電子像信号をプリンタにて記録紙に視認可能にプリント出力する際に、例えば撮像装置の表示部に表示されるプリント出力対象の画像の向きに応じて撮像装置の向きを変えることにより、ユーザの意思通りに簡単に、日付等の文字情報を自然で読めるやすい位置や方向にして記録紙に印刷することができる。
【発明を実施するための最良の形態】
【００１８】
以下、図面を参照して、本発明の好適な実施の形態について説明する。
図１は本実施形態によるプリントシステムの全体構成を示す図であり、デジタルカメラＤＣとプリンタ装置１とがケーブル２７を介して接続して構成される。なお、ここではケーブル２７を介して接続する例を図示したが、それ以外にも、例えば無線通信によって通信可能として構成されるようにしてもよい。
【００１９】
デジタルカメラＤＣは撮影後に内部のメモリに画像情報が保持される。メモリとしてはコンパクトフラッシュ（Ｒ）カードやスマートメデイア（Ｒ）といった着脱自由なものが便利である。デジタルカメラＤＣのモードを設定して、任意の画像を再生させることができる。画像情報の再生はデジタルカメラＤＣの具備する液晶表示装置によって随時確認することができ、使用者は撮影された所望の画像情報を任意に呼び出すことが可能である。
【００２０】
デジタルカメラＤＣとプリンタ装置１とが通信可能な状態であると、図示しない所定のプリント実行ボタンによってデジタルカメラＤＣからプリンタ装置１へ必要な情報が通信され、プリンタ装置１からプリント出力が得られるというものである。上記必要な情報としては、デジタルカメラＤＣとのネゴシエーションの情報、デジタルカメラＤＣからのプリントすべき画像の情報や画像情報に記録時又は記録後に付加された情報等である。
【００２１】
図２は本発明でいう撮像装置に相当するデジタルカメラＤＣの構成例を示すブロック図である。２０１が日付印刷用のフォントデータ格納部、２０２が制御用ＣＰＵ（中央演算処理ユニット）、２０３がワークメモリ、２０４がＪＰＥＧ伸張用ハードウエア、２０５がUSBインタフェース、２０６がコンパクトフラッシュ（Ｒ）等の画像記録用メディア、２０７がカメラの向きセンサである。デジタルカメラＤＣはUSBインタフェース２０５を介してプリンタ装置１に接続される。
【００２２】
図３は本発明でいうプリンタに相当するプリンタ装置１の構成例を示す図である。本実施形態によるプリントシステムでは、プリンタ装置１のプリンタ方式として昇華型の熱転写記録方式を採用し、電子的な画像の情報を任意なプリント枚数分プリントアウトすることが可能なように構成されている。
【００２３】
プリンタ装置１の全体構成及び動作について説明すると、装置本体４０１に対して、記録紙Ｐを積載した用紙カセット４０２から給紙ローラ４０３により１枚ずつ記録紙Ｐを分離給送する。このとき、記録紙Ｐは、バネ４１９によって付勢された押上げ板４２０により給紙ローラ４０３に当接した状態にある。給紙ローラ４０３により搬送された記録紙Ｐは、ピンチローラ４４２及びグリップローラ４４１で構成された搬送ローラ対により挟持搬送されることで、記録部を往復可能となる。
【００２４】
記録部では、記録紙搬送経路を挟んでプラテンローラ４０５と、記録情報に応じて発熱するサーマルヘッド４０６とが対向しており、インクカセット４０７に収納される、熱溶融性又は熱昇華性インクを塗布したインク層及び印画面を保護するために印画面上にオーバーコートされるオーバーコート層を有するインクシート４０８を、サーマルヘッド４０６により記録紙Ｐに押圧すると共に選択的に加熱することで、記録紙Ｐに対して所定画像を転写記録し、保護層をオーバーコートする。
【００２５】
インクシート４０８は、記録紙Ｐの印画領域を覆ってそのサイズと略等しいサイズでイエロー(Ｙ)、マゼンタ(Ｍ)、及びシアン(Ｃ)の各インク層とオーバーコート(ＯＰ)層が並べて設けられたものである。インクシート４０８を記録紙Ｐ上に各層ずつ熱転写する度に、記録紙Ｐを記録開始位置Ｐ１に戻す。これにより、記録紙Ｐ上に各層の色が順次重ねて転写される。記録紙Ｐは、搬送ローラ対４０４により、各色インク及びオーバーコート層の数だけ往復される。
【００２６】
各インク層が転写された後（印画後）の記録紙Ｐは、装置本体４０１前方で反転され、用紙カセット前方部及び下部のガイド部を介して、装置本体４０１の後方へ導紙される。
【００２７】
このように、記録紙Ｐは装置本体４０１前方で反転されるため、印画途中に記録紙Ｐが装置本体４０１外部に出ることによるスペースの無駄や、意図せずに記録紙Ｐを触ってしまったという様なことが無く、装置１の設置場所の省スペース化等を可能にしている。さらに、用紙カセット４０２の下部を紙ガイドとして直接利用していることで、装置本体４０１の厚さを薄くすることが可能であり、記録紙Ｐをインクカセット４０７と用紙カセット４０２にはさまれた空間を通すことで、装置本体４０１の全高を最小限にとどめることが可能である。これにより、装置１の小型化を図ることができる。
【００２８】
用紙カセット４０２の用紙搬送ガイド部４２５は、装置本体４０１前方から反転されてきた記録紙Ｐを装置本体４０１後方に反転させる。このような用紙カセット４０２に具備することは、装置本体４０１全体の小型化に大きく寄与している。
【００２９】
また、排紙トレイ部４２６は、用紙カセット４０２の上面に印画されて排紙された記録紙Ｐのトレイ部分を兼用しており、このような構成も、装置本体４０１の小型化に寄与している。
【００３０】
各インク層の印画終了後に記録紙Ｐは、排紙ローラ（１）４９１及び排出ローラ（２）４９２へ案内され、装置本体４０１後方から前方に向かって排出される。これにより、記録紙Ｐへの記録動作が終了する。
【００３１】
排出ローラ（１）４９１は、記録紙Ｐの排出動作時のみ圧接し、印画中にはストレスがかからないように構成されている。
【００３２】
なお、装置本体４０１には、記録紙Ｐのガイド部４１５が設けられており、このガイド部４１５により、記録紙Ｐを導紙している。
【００３３】
搬送路切り替えシート４１６は、記録紙Ｐが給紙された後に、記録紙Ｐを排出側の経路に導紙する。
【００３４】
印画用のサーマルヘッド４０６は、ヘッドアーム４２２に対して一体的に具備されており、インクカセット４０７を交換する場合に、インクカセット４０７の抜き差しに支障ない位置まで退避される。この退避動作は、インクカセット４０７の交換時に用紙カセット４０２を引き抜くことで可能となる。また、インクカセット４０７は、用紙カセット４０２の着脱動作に連動してヘッドアーム４２２がカム部により押さえられている状態から、用紙カセット４０２のカム部が退避していくことで、上下するように構成されている。
【００３５】
ここで、通常の熱転写の記録装置では、Ｙ，Ｍ，Ｃの３色を３回面順次で記録するため、それぞれの色の記録先端を正確に合致させる制御が必要となる。このため、プリンタ装置１では、上述した搬送ローラ対により記録紙Ｐを離さずに、しっかり挟持して搬送を行う必要がある。また、記録紙Ｐの送り方向の端部には、記録不可能な余白部が必要となる。
【００３６】
そこで、記録紙Ｐにおいて、最終的に、容易に、縁のない印画物を得るために、例えば、図４に示すように、記録紙Ｐには、記録開始時に上記搬送ローラ対でしっかり挟持され記録できない余白部分を後で容易に手で切取り可能なようにミシン目５０１ａ、５０１ｂが設けられる。本実施の形態は、ミシン目５０１ａ、５０１ｂを有する記録紙Ｐ、及びプリンタ装置１を用いた形態である。
【００３７】
上記図４に示した記録紙Ｐは、印画面保護のためにオーバーコートされるが、ミシン目５０１ａ、５０１ｂの領域についても、オーバーコートされるものとする。また、オーバーコート部分は、略印画される領域であり、且つ印画される領域よりもやや大きく印画される領域を含むように制御される。印画領域５０３（斜線部分）は、印画の領域である。印画領域５０３には、ミシン目５０１ａ、５０１ｂを含んで、印画されるように制御される。
【００３８】
上述のような記録紙Ｐに対する印画動作について、さらに具体的に説明すると、上記図３に示したプリンタ装置１において、まず、搬送ローラ対は、ピンチローラ４４２及びグリップローラ４４１から構成される。グリップローラ４４１は、図示しないステッピングモータの出力軸と減速機構を介して直結され、当該ステッピングモータの回転制御により、正逆自在に駆動される。記録紙Ｐは、搬送ローラ対によって、しっかりと挟持されて、往復搬送されるもであるため、記録紙Ｐもまた、当該ステッピングモータの回転制御により、正確に位置制御され、搬送駆動される。
【００３９】
ここでは一例として、サーマルヘッド４０６による１ライン分の記録ピッチを８５μmとし、記録紙Ｐを１ライン分搬送するためのステッピングモータのステップ数を４ステップとする。この場合、記録紙Ｐは、ステッピングモータの４ステップの回転制御により、１ライン、すなわち８５μm搬送される。
【００４０】
上記図４に示した記録紙Ｐの印画領域５０３を、搬送方向に１４４mmであるとした場合、印画領域５０３には１６９４ライン印画可能となり、記録紙Ｐを、この分搬送するためには、ステッピングモータを６７７６ステップ分回転させればよい。
【００４１】
また、上記図３に示したプリンタ装置１において、給紙ローラ４０３から給紙ローラ対を見ると、給紙ローラ対の近傍の位置に、記録紙Ｐの先端検出センサ４１０が設けられる。この先端検出センサ４１０により、記録紙Ｐの先端を検出し、当該検出後に、搬送ローラ対で挟持できる範囲で所定ラインを送り停止させる。このときの位置が、上述した記録開始時の位置となる。
【００４２】
記録紙Ｐにおいて、上記の記録開始時の位置から、最初のYイエローから順にサーマルヘッドを記録情報に応じて発熱駆動することで、各色インクの所定画像を記録する、又はオーバーコート層を転写する。１色のインクの記録終了の度に、記録紙Ｐを排紙ローラ４０９のある方向に戻して搬送し、再び所定のライン数を戻し送る。このような動作を、Ｙ，Ｍ，Ｃの各色の記録、及びオーバーコート層の転写の度に繰り返す。すなわち、４回繰り返す。
【００４３】
記録紙Ｐの先端検出センサ４１０と、プラテンローラ４０５とサーマルヘッド４０６により記録紙Ｐを押圧する位置との距離は、装置本体４０１内部品配置を考慮して、記録紙Ｐ上の距離で２０mmに設定している。しかしながら、これに限られるものではない。
【００４４】
図５は、プリンタ装置１において、上記図４に示したような記録紙Ｐに対して、各色インクを転写記録し、また、オーバーコート層を転写する際の動作をフローチャートにより示したものである。
【００４５】
ステップＳ６０１：
ユーザは、例えば、端末装置のプリント指示ボタン、若しくはデジタルカメラやデジタルビデオカメラからの印画指示等により、プリント動作を指示する。
【００４６】
ステップＳ６０２：
プリンタ装置１の装置本体４０１において、処理回路４１８は、ユーザがプリント動作指示を実行した機器或いはシステムとの通信を開始し、当該機器或いはシステムから、プリントに必要な諸条件の確認や情報受信を行い、また、必要に応じて、当該情報受信により得られた画像情報（印画情報）に対する画像処理を実行する。また、処理回路４１８は、プリンタ全体の制御を行って、各種ローラの駆動やヘッドの移動などに関する制御を司る。
【００４７】
ステップＳ６０３：
印画準備が整うと、処理回路４１８は、給紙ローラ４０３に連結されたモータを駆動して、記録紙Ｐの給紙動作を開始する。
【００４８】
ステップＳ６０４：
記録紙Ｐの先端検出センサ４１０は、記録紙Ｐの先端を検出する。これに応じて、上述したステッピングモータを所定ステップ分回転させ、記録紙Ｐへの印画を開始する。このとき、記録紙Ｐの印画開始位置を、記録紙Ｐの先端を基準として、例えば、１２．４７５mmとしている。
【００４９】
ステップＳ６０５：
引き続き、上記ステッピングモータを４ステップ分回転しながら、サーマルヘッドを発熱駆動し、記録紙Ｐに対して１ライン分の印画を行う。そして、記録紙Ｐに対して、６７７６ステップ分（１６９４ライン分）の全ての回転動作を行う。これにより、記録紙Ｐに対する印画が終了する。このときの印画終了位置は、記録紙Ｐの先端を基準として、例えば、１５６．４５５mmとなる。
【００５０】
ステップＳ６０６：
停止にいたるまでの減速のため、上記ステッピングモータを１０ライン分（４０ステップ分）程回転させ、その後、停止させる。
【００５１】
ステップＳ６０７：
このときの状態から、上記ステッピングモータを逆転駆動することで、記録紙Ｐを印画時と逆方向に搬送し、所定のステップ数(６７７６ステップ減速分)だけ戻す。更に減速のため、上記ステッピングモータを所定のライン数の１０ライン分（４０ステップ分）程回転させ、その後、停止させる。
【００５２】
ステップＳ６０８：
ステップＳ６０４〜ステップＳ６０７による動作を、Ｙ，Ｍ，Ｃの３色分、３回程繰り返すことで、目的とする印画像を記録紙Ｐに転写記録する。
【００５３】
ステップＳ６０９：
更に、記録紙Ｐに対して、一回印画面保護のためオーバーコート層を転写する。
【００５４】
ステップＳ６１０：
上記ステッピングモータを逆転駆動することで、記録紙Ｐをそのまま排出ローラ（２）４９２へ導き、排出ローラ（２）４９２の駆動により排出する。これにより、記録紙Ｐに対する一連の記録動作が終了する。
【００５５】
なお、上述した記録動作において、処理回路４１８は、記録紙Ｐの給紙時に、最初に記録紙Ｐの先端検出センサ４１０により検知した記録紙Ｐの先端検出信号により、上記ステッピングモータのステップ数及び記録紙Ｐの搬送時における位置関係に基づいて、上記ステッピングモータの回転駆動のステップ数を管理することで、記録紙Ｐの記録位置の管理を行うように構成しているが、これに限られることはなく、例えば、Ｙ，Ｍ，Ｃの各色及びオーバーコート層の転写記録時に、記録紙Ｐの先端部に設けた検出センサにより記録紙Ｐの先端の検出を行い、その検出信号を基準として、上記ステッピングモータの回転駆動のステップ数を管理することで、記録紙Ｐの記録位置の管理を行うように構成してもよい。
【００５６】
また、オーバーコート層の転写については、サーマルヘッドの発熱駆動のＯＮ／ＯＦＦのみで行うようにしてもよいが、オーバーコート層の転写開始時では、徐々にサーマルヘッドの発熱量を増加させ、オーバーコート層の転写終了時では、徐々にサーマルヘッドの発熱量を減少させるような制御を加えることも可能である。
【００５７】
以下、本実施形態によるプリントシステムでの処理動作について説明する。いま、プリント出力すべき画像データは予めデジタルカメラＤＣの画像記録用メディア２０６に対して、ＪＰＥＧ方式に対応した画像情報（ＪＰＥＧ画像）として収められているものとする。
【００５８】
まず、ＣＰＵ２０２は画像記録用メディア２０６から目的のＪＰＥＧ画像を読み出し、これをワークメモリ２０３上に展開する。このときのワークメモリ２０３のメモリマップを図６に示す。同図において、「伸張前ＪＰＥＧデータ」が、ここでの読出画像情報に対応する。
【００５９】
そして、ＣＰＵ２０２は伸張すべきデータのアドレスS_ADR0とサイズ、伸張後のデータの置き場所のアドレスS_ADR1等の情報をＪＰＥＧ伸張用ハードウエア２０４に供給し、伸張開始を指示する。ＪＰＥＧ伸張用ハードウエア２０４はＪＰＥＧ伸張を行った後、伸張完了をＣＰＵ２０２に対して通知する。
【００６０】
次に、ＣＰＵ２０２はカメラの向きセンサ２０７を用いて現在のカメラの向きを検知し、その向き情報をワークメモリ２０３に保存する。例えば、図７、８に示すように、横向きの場合は「０」、右端を上にした縦向きの場合は「１」、左端を上にした縦向きの場合は「２」とした向き情報をワークメモリ２０３に保存する。
【００６１】
以下、ワークメモリ２０３に保存されたカメラの向き情報に従って処理を行う。
図７、８に、デジタルカメラＤＣの向きと画像及び文字情報が印刷される記録紙との関係を示す。ユーザは、プリント出力に際して、ＬＣＤ等のディスプレイ２０８に表示される画像が自然に見えるようにデジタルカメラＤＣの向きを変えればよい。
【００６２】
なお、図７は画像の周りに余白がない場合（縁なし）、図８は画像の周りに余白をつける場合（縁あり）である。ユーザはデジタルカメラＤＣ上のユーザインタフェース等により、「余白あり」、「余白なし」の印刷モードを選択することができるものとする。
【００６３】
本実施形態では、座標は記録紙の左上すみを原点とし、右方向にＸ軸、下方向にＹ軸をとるものとしている。
【００６４】
（「余白なし」印刷モードの場合）
カメラの向き＝０の場合、図７（ａ）に示すように、下側がそのまま画像の下側となるので、日付文字列は（Ｘ０，Ｙ０）を起点としＸ軸方向に出力する。文字の向きは上向きなので、日付用フォントデータ格納部２０１から上向きのフォントを選びそれを出力する。
【００６５】
カメラの向き＝１の場合、図７（ｂ）に示すように、左側が画像の下側となるので、日付文字列は（Ｘ１，Ｙ１）を起点としＹ軸方向に出力する。文字の向きは右向きなので、日付用フォントデータ格納部２０１から右向きのフォントを選びそれを出力する。
【００６６】
カメラの向き＝２の場合、図７（ｃ）に示すように、右側が画像の下側となるので、日付文字列は（Ｘ２，Ｙ２）を起点とし−Ｙ軸方向に出力する。文字の向きは左向きなので、日付用フォントデータ格納部２０１から左向きのフォントを選びそれを出力する。
【００６７】
（「余白あり」印刷モードの場合）
画像の周りに余白をつける印刷モードの場合を考えると、日付文字は余白部分に出力するようにすればよい。
カメラの向き＝０の場合、図８の（ａ）に示すように、下側がそのまま画像の下側となるため、日付文字列は（Ｘ３，Ｙ３）を起点としＸ軸方向に出力する。
文字の向きは上向きなので、日付用フォントデータ格納部２０１から上向きのフォントを選びそれを出力する。
【００６８】
カメラの向き＝１の場合、図８（ｂ）に示すように、左側が画像の下側となるので、日付文字列は（Ｘ４，Ｙ４）を起点としＹ軸方向に出力する。文字の向きは右向きなので、日付用フォントデータ格納部２０１から右向きのフォントを選びそれを出力する。
【００６９】
カメラの向き＝２の場合、図８（ｃ）に示すように、右側が画像の下側となるので、日付文字列は（Ｘ５，Ｙ５）を起点とし−Ｙ軸方向に出力する。文字の向きは左向きなので、日付用フォントデータ格納部２０１から左向きのフォントを選びそれを出力する。
【００７０】
以上のようにカメラを縦向きにし、カメラ上のディスプレイ２０８に表示されている画像を縦向きに見る状態でプリント出力を開始すると、その向きで日付文字が自然に読めるような位置・方向に、またカメラを横向きにし、カメラ上のディスプレイ２０８に表示されている画像を横向きに見る状態でプリント出力を開始すると、その向きで日付文字が自然に読めるような位置・方向にそれぞれ日付文字を印刷することができるので、見やすく自然な日付つき画像の印刷が可能となる。
【００７１】
例えば、用紙の縦方向に文字が記載されている該用紙を撮影するような場合、撮影時には横位置のほうが収まりがよい。このような場合に、日付等の文字情報を印刷するとき、横位置撮影しているため文字情報の配置が横位置と同じになってしまうのは不都合であるが、上記のようにディスプレイ２０８に表示されている画像を縦向きに見る状態でプリント出力を開始すれば、日付等の文字情報が自然に読めるような位置・方向に印刷することができる。
【００７２】
なお、上記実施形態では、文字情報として日付を印刷する例を説明したが、日付以外にも、例えばファイル名等であってもよい。
【００７３】
上述した実施の形態の機能を実現するべく各種のデバイスを動作させるように、該各種デバイスと接続された装置或いはシステム内のコンピュータに対し、上記実施の形態の機能を実現するためのソフトウェアのプログラムコードを供給し、そのシステム或いは装置のコンピュータ（ＣＰＵ或いはＭＰＵ）に格納されたコンピュータプログラムに従って上記各種デバイスを動作させることによって実施したものも、本発明の範疇に含まれる。
【００７４】
また、この場合、上記ソフトウェアのプログラムコード自体が上述した実施の形態の機能を実現することになり、そのプログラムコード自体は本発明を構成する。そのプログラムコードの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００７５】
さらに、上記プログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００７６】
また、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフト等と共同して上述の実施の形態の機能が実現される場合にもかかるプログラムコードは本発明の実施の形態に含まれることはいうまでもない。
【００７７】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施の形態の機能が実現される場合にも本発明に含まれることはいうまでもない。
【００７８】
なお、上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。
【図面の簡単な説明】
【００７９】
【図１】本実施形態によるプリントシステムの全体構成を示す図である。
【図２】デジタルカメラＤＣの構成例を示すブロック図である。
【図３】プリンタ装置１の構成例を示す図である。
【図４】記録紙Ｐを説明するための図である。
【図５】プリンタ装置１での動作を示すフローチャートである。
【図６】ワークメモリ２０３のメモリマップを説明するための図である。
【図７】デジタルカメラＤＣの向きと画像及び文字情報が印刷される記録紙との関係（縁なしの場合）を表す図である。
【図８】デジタルカメラＤＣの向きと画像及び文字情報が印刷される記録紙との関係（縁ありの場合）を表す図である。
【符号の説明】
【００８０】
１      プリンタ装置
ＤＣ    デジタルカメラ
２０１  フォントデータ格納部
２０２  制御用ＣＰＵ（中央演算処理ユニット）
２０３  ワークメモリ
２０４  ＪＰＥＧ伸張用ハードウエア
２０５  USBインタフェース
２０６  画像記録用メディア
２０７  カメラの向きセンサ
２０８  ディスプレイ
【図１】
2005130143.tif 000003
【図２】
2005130143.tif 000004
【図３】
2005130143.tif 000005
【図４】
2005130143.tif 000006
【図５】
2005130143.tif 000007
【図６】
2005130143.tif 000008
【図７】
2005130143.tif 000009
【図８】
2005130143.tif 000010